(57)【要約】      （修正有）【課題】高齢男性の無意識な放尿・失禁によるトランクス・ズボンの汚れや恥しさをなくし、又、多くの男性が利用できるようにしたトランクスを提供する。【解決手段】トランクスの内側にポケットを作り、その中に簡単に着脱出来る防水尿溜め袋を入れるので安定しており、失禁・放尿でも安心出来るようにした。その為には尿器が何時でも尿溜め袋の入り口にあるように切り込みを設けた。トランクスも殆どの男性が利用出来るようにフリーサズにする為、オスとメスの面ファスナーを対に縫い付け、重ね具合によってウエストを８０〜１１４ｃｍまでの男性が利用できるようにした。【選択図】なし【実用新案登録請求の範囲】
【請求項１】
図１はトランクス内部正面図であり、トランクス１の内部の世界の窓の直下に縫い付けられたトランクスと同じ共布を使用したポケット２。３は２のポケットの入口中央内部に縫い付けられたマジテープ。図２はトランクスに縫い付けられたポケット２の入り口平面図で、トランクスとポケットに縫い付けられたオスメスマジテープの位置関係を表している。３はマジテープメスで４はマジテープオスである。以後説明を判りやすくする為マジテープの呼称をマジテープオス・マジテープメスと呼ぶ）図２参照。
【請求項２】
図３は図１の２のポケットに入れる失禁・放尿兼用ＯＫの尿溜め袋５（必ず尿漏れ防止の処置をしてあればポリピロピレン・ナイロン・ゴム等材質不問）であり６はこの袋の入口７はマジテープオス、８は袋の中央部分を３ｃｍ程盛り上げた部分の中央に入れた縦横２、５ｃｍの切り口。袋の入口直径２０ｃｍ深さ２０ｍ底部の最大巾２８ｃｍ。図４は図３の尿溜め袋の入り口平面図でオス・メスマジテープの位置関係を表したもので上部中央に取り付けたマジテープメス１０とマジテープオス７。図５は図１の２のポケットに図３の尿溜め袋５を入れた時の尿溜め袋の状態を表している。図６はトランクス内側正面図でポケットを縫い付ける前の状態である。４はトランクスの世界の窓１１の真下に縫い付けられたマジテープオスである。図７はマジテープ４・３・７・１０の位置関係を表している。
【請求項３】
図８はトランクス内面の摸式図である。Ａ１Ａ２を縫い合わせ前面世界の窓を作る。Ｂ１Ｂ２を縫い合わせ左側腰部臀部を作る。Ｃ１Ｃ２を縫い合わせ右側腰部臀部を作る。図９は図１の２の布袋をトランクスの内部に取り付ける為のフリーサイズトランクスの縫製方法である。この図は図８に示したトランクス模式図のＢ１Ｂ２の継ぎ目部分である。１２・  １３はマジテープオス、１４・１５はマジテープメスである。Ｔ１・Ｔ２より下はＢ１・Ｂ２を縫い合わせるがＴ１・Ｔ２より上は縫い合わせない。図１０は図８に示すトランクス模式図のＣ１Ｃ２の継ぎ目部分である。１６・１７はマジテープメス１８・１９はマジ    テープオスである。Ｗ１・Ｗ２より下はＣ１Ｃ２を縫い合わせるがＷ１・Ｗ２より上は縫い合わせない。
【考案の詳細な説明】
【考案の詳細な説明】
【技術分野】
【０００１】本発明は健康病弱にかかわらず老齢男性の肉体に無意識に生じる失禁又は放尿による衣服の汚れ及び羞恥を防ぐため、単なる失禁に留まらず放尿でもＯＫという装置を製造し、その設置方法及びその装置を使用するトランクスは男性が長身・短身・肥満・痩身でウエストがばらばらでも総ての人が利用出来るようにしたフリーサイズトランクスの開発製造。
【背景技術】
【０００２】従来からの失禁防止装置としてはブリーフの内部に吸湿性の高いタンポンを挟みそのブリーフを男性が身に着ける程度に限定されており、この方法ではほんの僅かな尿漏れを吸収する程度に留まる。このタイプの失禁防止ブリーフは次の欠点がある。男性は女性と違って尿器が体外にとび出ているので分厚いタンポンを尿器にかぶせ、その上にブリーフを着ても、使用中、立ったり座ったり腰掛けたり歩いたり動きまわるとシンボルの先は左右のどちらかに移動し、この状態で失禁するとタンポンがタンポンの役目を果たさないで洩らす結果となる。それで男性は人に気づかれないよう時々ズボンの世界の窓から指を入れシンボルの先をつまみ、タンポンの真ん中に押し込んでやらなければならない。面倒でもあり、あまり格好の良いものではない。これは経験上の事実です。又ビニール製で長さ６０ｃｍ位の放尿袋があり、これは男性のシンボル全体（睾丸も含む）を袋の中にいれ、腰に紐で結びつけ落ちないようにしたもので失禁では無く放尿そのものを目的としたと考えられます。何故なら世界の窓から指を入れ小用をたそうと思っても出来ません。その上６０ｃｍも下に尿が溜まったらどう歩くのか心配です。その他、臀部全体を包み込むオムツ形もありますが、これは用途が（大）にも利用出来るようなっており非活動的で、どちらかと言えば病人用と思われ本発明と目的が違うので論評は除外します。
【発明が解決しようとする課題】
【０００３】医学書によれば成人の一日の排尿量は１０００ｃｃ〜１５００ｃｃ以内、排尿回数は一日５〜６回が通常と言われており一回の排尿量は平均すれば１６０〜３００ｃｃの間と思われる。又医学書には失禁について次のように書いている。
１・真性尿失禁    膀胱に尿が溜まらないでいつも少しづつ排尿する。
２・奇異性尿失禁  膀胱に尿が溜まり過ぎて一度に排尿する。
３・急迫尿失禁    重い物を持ち上げたり、咳をしたりすると排尿する。
４・瀕尿性尿失禁  膀胱炎、前立腺肥大症などの病気が原因で我慢出来ずぐに洩らしてしまう。
５・物理的現象による尿失禁  これは私の経験による事実を発表するのですがトランクス又はブリーフを身につけ、その上にズボンを着ている時は世界の窓が２ツあることになり、この２ツの窓を通過する時、男性の尿道は少しではあるがＳ字形に湾曲するので尿道が圧迫され排尿が完全に行なわれず終わったと思って尿器を引っ込めると残尿が出てくる、これも失禁症状の一つと思います。これは家庭内でズボンを身に付けずブリーフやトランクスだけの場合はこのような現象が無い事によって証明されます。つまりこれら５つの現象は老齢男性には避けられない不愉快且つ情けない関門であります。
【０００４】  本発明は以上の状態が老齢男性には避けられないであれば、これ等の忌むべき現象を許す限りの方法で和らげる為に次の手段を講じた。
１・失禁でも放尿でも両方共ＯＫと言う装置をトランクス内部に取り付ける。
２・その装置をより多くの人達が利用出来るようなフリーサイズトランクスの開発
【課題を解決するための手段】
【０００５】  上記の目的達成の為、本発明は次の点に重点を置き製作した。残尿漏れや無意識な失禁でも完全に尿袋の中に尿が入る事。外出中やズボンを着ている時はこの様な失禁は本人の目に触れる事はない、つまり放尿後、ズボンやトランクスの中に男性の尿器を引込めた時、又はズボンを着ている時、不意に又は無意識に尿器から尿が漏れるのであり、ズボンやトランクスの中で自分の尿器がどのような状態であるかを確かめていない。  もし自分の尿器がズボンやトランクスの中で、何時でも尿袋の中にあれば上記の失禁はあり得ない。その都度確かめなくても何時でも尿器が袋の中に鎮座しているようにするにはどうすれば良いか、これが難題であった。これが本発明の最も苦心した処である。男性の尿は尿器の先からでるのであれば先だけでも尿袋の中に常時入っていれば良い訳であるから尿袋の中央上部に男性の尿器の先端が来るように固定する方法が見つかれば良い事になる。こうした苦心の結果考えたのが図３の８に示す＋の切れ目である。
【０００６】  次に大切な事は尿器を固定するだけでなく立ったまま、ズボンやトランクスの世界の窓から指を入れ尿器をつまみ出し放尿出来るようにもしなければならない。その為には指を入れたその場所に尿器の先端がなければならない。そうするには尿袋の上端（入り口）が世界の窓の真下にあれば良い事になる。そこで尿袋の入り口の中央にマジテープを張り付け、同じくトランクスの世界の窓の真下に対のマジテープを縫い付け２つのマジテープをくっつけ固定するようにした。マジテープにしたのは離す時便利が良いからである。これで世界の窓から入れた指はすぐに自分の尿器の先端を探りあてる事が出来る。
【０００７】  次の難題は男性の一回の放尿量は最大３００ｇと考えられるのでこの重さを支えるには、どうすれば良いかを考えなければならない。マジテープを増やす事も考えたが放尿によって尿溜め袋に溜まった尿を捨てる時、沢山のマジテープを一つ一つ離すのも面倒であり、且つマジテープだけでは３００ｇの重さを支える事が出来ないのでは、との不安もあり、最も安全な方法としてトランクスと同じ共布を使いポケットを作りそのポケットの入り口中央がトランクスの内側の世界の窓の真下に来るようにポケットをトランクスに縫い付けた。つまり尿溜め袋をこの袋の中に入れれば３００ｇの重さにも耐えられると考えたのである。
【０００８】  次は尿袋の大きさである。３００ｇの尿だけで一杯になうよな小さい袋ではこぼれる不安がある。だからと言って大きなポケットではポケットの下部がトランクスの股下から出ては体裁も良くない。ＬＬトランクスでも世界の窓の下から股下までは１４ｃｍあるかないかである。（マチマチであるから正確には判らない）１４ｃｍと短い場所に３００ｇの尿を溜める袋とはどんな袋にすれば良いのか、尿が溜まった尿溜め袋を取り出す時、袋の入り口まで尿がきているようでは  尿がこぼれてしまう心配がある。取り出す時の尿の高さは少なくとも尿溜め袋の１／３以下でなければ安全とは言えない。僅か１４ｃｍの空間にポケットを設け、最大３００ｇの尿を溜めなければならない。しかも３００ｇの尿量の体積は袋の大きさの１／３以下にしなければならない。これは至難のように思われたが無事成功したのである。
【０００９】  次はフリーサイズトランクス付いてであるが、これ一つあれば色々なタイプの男性でも使えるトランクスが出来ないか、と考えたのである。図９は左腰部Ｂ１Ｂ２の継ぎ目部分で１２・１３はマジテープオス、１４・１５はマジテープメスで、この２つを重ね合わせる。深く重ねればウエストは小さくなり、浅く重ねればウエストは大きくなる。右腰部も同じようにするので１０図に付いて説明する。１６・１７はマジテープオス、１８・１９はマジテープメスでこの２つを深く重ね合わせればウエストは小さくなり、浅く重ね合わせればウエストは大きくなる。
【考案を実施するための最良の形態】
【０００１０】  上記１を達成する方法として成人男性の一回の放尿量３００ｇを支える為、トランクス内部の世界の窓図６の１１の直下に入口直径２０ｃｍ深さ１５ｃｍ底巾２８ｃｍのトランクスと同じ共布で作ったポケット図１の２をミシンで縫い付けた。この大きさであればＬＬトランクスの股下からポケットの下部が飛び出る事は無いと計算済みである。しかしより安全の為、失禁・放尿兼用ＯＫトランクスの股下は現在のＬＬトランクスの股下寸法より２ｃｍ下げた方が都合が良い。この袋は常設でも日常生活には支障はない。その為ポケットの布地はトランクスと同じ共布を使い、３・４のオスメスマジテープで固定するようにした。別に尿を溜める目的の防水加工済み塩化ビニール袋で入口直径が２０ｃｍ深さ２０ｃｍ底巾２８ｃｍを布袋２の中に入れる。取り外しが簡単に出来るように大きさを２，５ｃｍ×３ｃｍに統一したオスメスのマジテープを対に配した図４。図５は深さ１５ｃｍの布袋の中に２０ｃｍの袋を入れるのでポケット２の中に入れたビニール袋５の下部が縮んで皺９がよっていることを示している。この皺は重要な意味を持っている。尿溜め袋をポケットから取り出す時、尿溜め袋は尿の重みで皺が伸び２０ｃｍ以上になっているので、尿は袋の下の方（高さ３ｃｍ位）に溜まっており、尿がこぼれるのではないかと言う不安感が無くて済む。図６の４はトランクス内側正面図の世界の窓の直下にミシンで縫い付けられたマジテープオスで、このテープと尿溜め袋の上部中央につけたマジテープメス図４の１０とがくっつき尿溜め袋が安定する。尿溜め袋入り口両サイドはポケットの入り口両サイドの端でゼムピン（トガッタ先がないピン）でとめる。これは取付取り外しが簡単でありこれで尿溜め袋が安定する。【０００１１】上記２を達成する為トランクスをフリーサイズにする。図８はトランクス内側の模式図でトランクスが大きく分けて左側面・ヒップ面・右側面から成り立っている事を示している。Ａ１Ａ２を縫い合わせ前面世界の窓をを作る、Ｂ１Ｂ２を縫い合わせ左側腰部臀部を作る、Ｃ１Ｃ２を合わせ右側腰部臀部を作る。図９のＴ１・Ｔ２以下はＢ１・Ｂ２を縫い合わせるがＴ１〜Ｅ・Ｔ２〜Ｇは縫い合わせない。そうすることによって、マジテープオス１２・１３とマジテープメス１４・１５は対のマジテープであるから１２・１３を外側１４・１５を内側にして重ね合わせる事によってＴ１・Ｔ２が支点となり弧を描きウエストを縮めたり伸ばしたり出来る。図９に記入されたその他の諸線はポッケットの作り方を図示したもので特許と無関係であるから説明を省略した。図１０のＷ１・Ｗ２以下はＣ１・Ｃ２を縫い合わせるがＷ１〜Ｒ・Ｗ２〜Ｓは縫い合わせない。そうする事によってマジテープメス１６・１７とマジテープオス１８・１９は対のマジテープであるから１６・１７を内側、１８・１９を外側にして重ね合わせる事によってＷ１・Ｗ２が支点となり弧を描きウエストを縮めたり伸ばしたり出来る。前述図１０の方法と図１１の方法を同時に行なえばウエストは次のようになる。通常ＬＬサイズのトランクスのウェストは最小９０ｃｍゴムの伸長巾を含んで最大１００ｃｍであるが、このフリーサイズトランクスでは最小８０ｃｍ，最大ゴム伸長を含んで１��４ｃｍ，つまり８０ｃｍ〜１１４ｃｍまで幅広く使用出来るのである。図１１に記入されたその他の諸線はポケットの作り方を図示したもので、特許と無関係であるから説明は省略する。
【考案の開示】
【０００１２】本発明は、以上説明したように構成されているので、以下に記載されてるような効果を奏する。
【０００１３】  男性の尿器の先端が何時でも尿溜め袋の上部入り口の中にあり無意識の放尿も心配なく尿溜め袋の中に全部入る。男性は起きている間は病人を除き殆どの人は動きまわるのでいかなる時でも男性の尿器の先が尿溜め袋の入り口内にあるように尿溜め袋の入り口の直径を２０ｃｍと大きくした。特に座ったり、腰掛けたりする時は下腹部が異常な動きをするので尿溜め袋が安定している事が第１条件であり、その為トランクスに直接ポケットを縫い付けた。又こうすれば３００ｇの尿の重さにも充分耐えられるのである。
【０００１４】  又、公衆トイレ等で立ったまま小用をする時でも、すぐに世界の窓から尿器を取りだせる。つまり両方が出来る事になる。このような構造を持った失禁防止構造は本製品だけである。
【０００１５】  尿溜め袋は携帯出来る。必要と思う時だけ、トランクスに縫い付けられたポケットに簡単に装着出来るので外出時に必携すれば良い。忘れないようにする為、トランクスの両脇にポッケットがあるので、そこに何時も入れておけば良い。
【０００１６】  男性のウエストは大小まちまちであるからマジテープを使ってウエストサイズ８０〜１１４ｃｍまで広範囲にわたって使用出来るようにした。又このマジテープを使った事によって、トランクスの既成の腰ゴムが極めて短期間に伸びて伸縮出来なくなってっていた弊害も、このマジテープのお陰で大幅にカバー出来る。つまり使い捨てしないで済む。無駄な出費をしないで済む。
【０００１７】  このフリーサイズトランクスは外国人が着る大きいトランクスにも応用が出来るのでこの失禁・放尿兼用ＯＫトランクスが理想どうりの効果を発揮できれば、世界中の男性にとっては朗報であり、多くの需要が期待出来るので経済的効果は計り知れない物があると信じるものである。又フリーサイズトランクスは失禁用だけに限らず単体としても使えるので、作業ズボン  各種トレーニングパンツ、パンタロン、工夫次第でスカートにも応用できるので未来は明るいと思います。
【図面の簡単な説明】
【図１】  ポケットをトランクス内側に縫い付けた時のポケットの位置とトランクス内側正面図である。
【図２】  ポケットの上部入り口平面図である。
【図３】  ビニール袋の正面図である。
【図４】  ビニール袋の入り口平面図である。
【図５】  ポケット内にビニールの尿溜め袋を入れた時のビニール袋の状態を表した断面図である。
【図６】  トランクスの正面図で世界の窓１１の真下に縫い付けられたマジテープメスである。
【図７】  図１のトランクスと２のポケットの間に尿溜め袋を入れた時の入り口平面図でオスメスマジテープの相互関係を示している。
【図８】  裁断する時のトランクスの模式図である。
【図９】  図８に示したトランクス模式図の左腰部Ｂ１Ｂ２の拡大図でオスメスマジテープの縫い付け方法を示した正面図である。
【図１０】  図８に示したトランクス模式図の右腰部Ｃ１Ｃ２の拡大図でオスメスマジテープの縫い付け方法を示した正面図である。
【符号の説明】
１  トランクス
２  ポケット
３  マジテープメス
４  マジテープオス
５  尿溜め袋
６  尿溜め袋の上部入り口
７  尿溜め袋の外側上部に着けたマジテープオス
８  男性の尿器を保持する切れ目
９  布袋に入れた尿溜め袋の皺の状態
１０  尿溜め袋のトランクス側に着けたマジテープオス
１１  世界の窓
１２  １３フリーサイズトランクスの腰部に縫い付けたマジテープオス
１４  １５フリーサイズトランクスの腰部に縫い付けたマジテープメス。
【図１】
0003109015.tif 000002
【図２】
0003109015.tif 000003
【図３】
0003109015.tif 000004
【図４】
0003109015.tif 000005
【図５】
0003109015.tif 000006
【図６】
0003109015.tif 000007
【図７】
0003109015.tif 000008
【図８】
0003109015.tif 000009
【図９】
0003109015.tif 000010
【図１０】
0003109015.tif 000011
【手続補正書】
【提出日】平成16年10月27日(2004.10.27)
【手続補正１】
【補正対象書類名】実用新案登録請求の範囲
【補正対象項目名】全文
【補正方法】変更
【補正の内容】
【実用新案登録請求の範囲】
【請求項１】
トランクス内部の世界の窓の下に縫い付けられたポケットを有するトランクス。
【請求項２】
請求項１のトランクスにおいてポケットの中に防水袋を有するトランクス。
【請求項３】
請求項１又は２のトランクスにおいてトランクスの上部から下へ一定の寸法だけ縫い合わせず且つトランクスの両脇上部に面ファスナーオスメスを縫いつけたトランクス。
【手続補正３】
【補正対象書類名】明細書
【補正対象項目名】全文
【補正方法】変更
【補正の内容】
【考案の詳細な説明】
【技術分野】
【０００１】本考案は健康病弱にかかわらず老齢男性の肉体に無意識に生じる失禁又は放尿による衣服の汚れ及び羞恥を防ぐ為、単なる失禁に留まらず放尿でもＯＫと言う装置を製造し、その設置方法及びその装置を使用するトランクスは男性が長身・短身・肥満・痩身でウエストサイズがばらばらでも総ての人が利用できるようにしたフリーサイズトランクスの開発製造。
【背景技術】
【０００２】従来からの失禁防止装置としてはブリーフの内側に吸湿性のあるパットを挟み、そのブリーフを男性が身に着ける程度に限定されており、この方法では僅かな尿漏れを吸収する程度に留まる。このタイプの失禁防止ブリーフは次の欠点がある。男性は尿器が体外に出ているので分厚いパットを尿器にかぶせ、その上にブリーフを着ても、使用中立ったり座ったり腰掛けたり歩いたり動きまわると尿器の先は左右のどちらかに移動し、この状態で失禁すると漏らすことになる。それで男性は人に気づかれないよう、時々ズボンの世界の窓から指を入れ尿器の先をつまみブリーフの中心に押し込んでやらなければならない。面倒でもあり、余り格好の良いものでない。
これは経験上の事実です。又ビニール製で長さ６０ｃｍ位の放尿袋があり、男性のシンボル全体（睾丸も含む）を袋の中に入れ、腰に紐で結び付け落ちないようにしたもので失禁ではなく放尿そのものを目的にした、と考えられます。何故なら世界の窓から指を入れ小用をしようと思っても出来ません。その上６０ｃｍも下に尿がたまったらどう歩くのか心配です。又尿器全体を包み込むので蒸れます。その他臀部全体を包むオムツ型もありますが、これは用途が（大）にも利用出来るようになっており非活動的で、どちらかと言えば病人用と思われ、本実案と目的が違うので論評はさけます。
【考案が解決しようとする課題】
【０００３】医学書によれば成人の一日の排尿量は１，０００ｃｃ〜１，５００ｃｃ以内、排尿回数は一日５〜６回が通常と言われており一回の排尿量は平均１６０ｃｃ〜３００ｃｃの間と思われる。又医学書には失禁について次のように書いています。
１・真性尿疾禁    膀胱に尿がたまらないでいつも少しずつ排尿する。
２・奇異性尿失禁  膀胱に尿が溜まり過ぎて一度に排尿する。
３・急迫尿失禁    重い物を持ち上げたり、咳をしたりすると排尿する。
４・頻尿性尿失禁  膀胱炎、前立腺肥大症などの病気が原因で我慢出来ずに漏らしてしまう。
【０００４】本考案は［０００３］の状態が高齢男性には避けられないものであれば、これらの忌むべき現象を許す限りの方法で和らげる為に次の手段を講じた。
１・失禁でも放尿でもＯＫ言う装置をトランクス内に取り付ける。
２・その装置をより多くの人達が利用できるようなフリーサイズトランクスを開発する。
【課題を解決するための手段】
【０００５】［０００４］の１・２の目的達成の為、本考案は次の点に重点を置き製作した。残尿もれや無意識な失禁でも完全に防水袋の中に尿が入る事。自分の尿器がズボンやトランクスの中で何時でも防水袋の中にあれば上記の失禁はあり得ない。その都度確かめなくても尿器の先端が防水袋の入り口中央にあるようにするには如何すれば良いかか、男性の尿は尿器の先端から出るのであれば先だけでも防水袋の中央に常時あればよいわけであるから防水袋の中央上部に男性の尿器の先端がくるような縫製方法が見つかれば良い訳である。こうした苦心の結果、考えたのが図３の８に示す＋の切れ目である。（切れ目の代わりにゴム輪でも良い）
【０００６】次に大切なことは立ったままズボンやトランクスの世界の窓から指を入れ尿器をつまみ出し排尿が出来るようにしなければならない。その為には指を入れた場所に尿器の先端がなければならない。そうするには防水袋の入り口中央が世界の窓の真下にあればよい事になる。そこで防水袋の入り口中央に図４の１０の面ファスナーメスを縫い付け、図２の４のポケット中央の面ファスナーオスとくっつけるようにした。面ファスナーにしたのは離すとき便利が良いからである。これで世界の窓から入れた指は、すぐに自分の尿器の先端を探り当てることが出来る。
【０００７】男性の一回の排尿量は最大３００ｇと考えられるので、この重さを支える為、トランクスの内側にトランクスと同じ共布でポケットを縫い付けた。ポケットの中央がトランクスの世界の窓の真下にくるようにしたのである。
【０００８】次は防水袋の寸法である。３００ｇの尿だけで一杯になるような小さい袋は、こぼれる心配がある。だからと言って大きなポケットではポケットの下部がトランクスの股下から出ては体裁も良くない。ＬＬトランクスでも世界の窓の下部から股下まで１４ｃｍあるかないかである。（メーカーによってそれぞれ異なる）１４ｃｍと言う狭い場所に３００ｇの尿を溜める防水袋とはどんな袋にすれば良いのか、僅か１４ｃｍの空間に３００ｇの尿を溜める袋、３００ｃｃの尿量に３００ｃｃ位しか入らない袋ではこぼれる心配がある。袋の大きさは３００ｃｃの尿量の３倍は必要である。これは図３に示す寸法で解決した。深さ２０ｃｍはポケットの深さ１５ｃｍより５ｃｍ長いが防水袋に皺がよるので問題ない。図５参照。
【０００９】トランクスのフリーサイズについてであるが図９は左腰部Ｂ１・Ｂ２の継ぎ目部分で１２・１３は面ファスナーオス、１４・１５は面ファスナーメスで、この２つを重ね合わせる。深く重ねればウエストは小さくなり、浅く重ねればウエストは大きくなる。右腰部も同じようにするので１０図について説明する。１６・１７は面ファスナーオス１８・１９は面ファスナーメスでの２つを深く重ね合わせればウエストは小さくなり、浅く重ね合わせればウエストは大きくなる。
【考案を実施する為の最良の形態】
【００１０】上記［０００１］を達成する方法として成人男性の１回の排尿量３００ｇを支える為トランクスの内部の世界の窓図６の１１の直下に入り口直径２０ｃｍ深さ１５ｃｍ底巾２８ｃｍのトランクスと同じ共布で作ったポケット図１の２をミシンだ縫いつけた。この大きさであればＬＬトランクスの股下からポケットの下部が飛び出ることは無いと計算済みである。しかし、より安全の為、当方が裁断する時は失禁放尿ＯＫトランクスの股下は現在のＬＬトランクスの股下寸法より最低２ｃｍ下げるようにする。別に尿を溜める目的の防水加工済みナイロン袋、入り口直径が２０ｃｍ深さ２０ｃｍ底巾２８ｃｍ図３をポケット図１の中に入れる。図５は深さ１５ｃｍのポケットの中に深さ２０ｃｍの防水袋を入れるので、防水袋の下部が縮んでシワ９がよっていることを示している。このシワは重要な意味を持っている。防水袋をポケットから取り出す時、防水袋は尿の重みでシワが伸び２０ｃｍ以上になっているので尿は防水袋の下の方に溜まっており尿がこぼれる心配がなくて済む。図６の４はトランクス内側正面図図１の世界の窓の直下にミシンで縫いつけられた面ファスナーオスで、この面ファスナーオスと防水袋の上部中央外側につけた面ファスナーメス図４の１０とがくっつき防水袋が安定する。防水袋とポケット入り口両サイドはゼムピン（とがった先が無いピン）でとめる。これは取り付け取り外しが簡単で防水袋も安定する。
【００１１】上記［０００２］を達成する為トランクスをフリーサイズにする。図８はトランクス内側の模式図でトランクスが大きく分けて左腰部・ヒップ面・右腰部から成り立っていることを示している。Ａ１Ａ２を縫い合わせ前面世界の窓を作る。Ｂ１Ｂ２を縫い合わせ左腰部をつくる。Ｃ−Ｃ２を縫い合わせ右腰部を作る。図９のＴ１Ｔ２以下はＢ１Ｂ２を縫い合わせるがＴ１〜Ｅ・Ｔ２〜Ｇは縫い合わせない。そうすることによって、面ファスナーオス１２・１３と面ファスナーメス１４・１５は対の面ファスナーだから１２・１３を外側１４・１５を内側にして重ね合わせればＴ１Ｔ２が支点となり緩やかな弧を描きウエストを縮めたり伸ばしたり出来る。図９・１０の点線・波線はポケットの作り方を図示したもので実案と無関係であるから説明を省略した。図１０のＷ！１Ｗ２より下はＣ１Ｃ２を縫い合わせるがＷ１〜Ｒ・Ｗ２〜Ｓは縫い合わせない。そうすることによって面ファスナーメス１６・１７と面ファスナーオス１８・１９・は対の面ファスナーであるから１６・１７を内側、１８・１９を外側にして重ね合わせればＷ１Ｗ２が支点となり緩やかな弧を描きウエストを伸縮できる。図１０の方法を同時にすればウエストは次のようになる。通常ＬＬサイズのトランクスのウエストは最小９０ｃｍ、ゴムの伸張巾を含んで最大１００ｃｍであるが、このフリーサイズトランクスでは最小８０ｃｍ、最大１１４ｃｍまで巾広く使えるのである。面ファスナーオスメスを長くすればまだ伸縮出来るが無限ではない。
【考案の開示】
【００１２】本考案は、以上説明したように構成されているので、以下に記載されているような効果を奏する。
【００１３】男性の尿器の先端が何時でも防水袋上部入り口にあり無意識の放尿も心配なく防水袋の中に全部入る。男性は起きている間は病人を除き殆どの人が動き廻るので、いかなる時でも男性の尿器の先が防水袋の入り口内にあるように防水袋の入り口巾を２０ｃｍと大きくした。特に座ったり、腰掛けたりする時は下腹部が異常な動きをするので防水袋が安定していることが第一条件であり、その為トランクスに直接ポケットを縫いつけた。又こうすれば３００ｇの重さにも耐えられるのである。
【００１４】公衆トイレで小用をする時でもすぐに世界の窓から尿器を取り出せる。つまり［００１３］と［００１４］の両方が出来る。このような構造を持った失禁防止構造トランクスは本品だけである。
【００１５】防水袋は携帯出来るので必要と思えばトランクスの両脇のポケットに入れておけばよい。
【００１６】トランクスの既成のゴムは使用期間が極めて短く不便であったが、面ファスナーを使ったフリーサイズではゴムの役目は重要ではないので、ゴムが駄目になっても使えるので便利で経済的である。
【００１７】このフリーサイズトランクスの方法は外国人が着る大きいトランクスにも応用出来るので諸外国にも宣伝して売り込めば経済的効果もあるのでは、と思います。
【図面の簡単な説明】
【００１８】
【図１】ポケットをトランクス内側に縫いつけた時のポケットの位置とトランクス内側正面図である。
【図２】ポケットの上部入り口平面図である。
【図３】防水袋の正面図である。
【図４】防水袋の入り口平面図である。
【図５】ポケット内に防水袋を入れた時の防水袋の状態を表した断面図である。
【図６】トランクスの内側正面図で世界の窓１１の下に縫い付けられた面ファスナーオスである。
【図７】ポケットに防水袋を入れた時の入り口平面図でオすメス面ファスナーの相互関係を表している。
【図８】裁断する時のトランクスの内側模式図である。
【図９】図８に示したトランクス模式図の左腰部Ｂ１Ｂ２の拡大図でオスメス面ファスナーの縫い付け方法を示した正面図である。
【図１０】図８に示したトランクス模式図の右腰部Ｃ１Ｃ２の拡大図でオスメス面ファスナーの縫い付け方法を図示した正面図である。
【符号の説明】
【００１９】  １  トランクス
２  ポケット
３  面ファスナーメス
４  面ファスナーオス
５  防水袋
６  防水袋の上部入り口
７  防水袋の外側上部に縫い付けた面ファスナーオス
８  男性の尿器を保持する切れ目
９  ポケットに防水袋を入れた時のシワ
１０  防水袋のトランクストランクス側に付けた面ファスナーメス
１１  世界の窓
１２  １３  フリーサイズトランクスの腰部に縫い付けた面ファスナーオス
１４  １５  フリーサイズトランクスの腰部に縫い付けた面ファスナーメス
１６  １７  フリーサイズトランクスの腰部に縫いつけた面ファスナーメス
１８  １９  フリーサイズトランクスの腰部にぬいつけた面ファスナーオス
【手続補正４】
【補正対象書類名】図面
【補正対象項目名】全図
【補正方法】変更
【補正の内容】
【図１】
0003109015.tif 000012
【図２】
0003109015.tif 000013
【図３】
0003109015.tif 000014
【図４】
0003109015.tif 000015
【図５】
0003109015.tif 000016
【図６】
0003109015.tif 000017
【図７】
0003109015.tif 000018
【図８】
0003109015.tif 000019
【図９】
0003109015.tif 000020
【図１０】
0003109015.tif 000021